(57)【要約】  ＩＰマルチメディアサブシステムＩＭＳメッセージを使用するユーザ端末と非ＩＭＳメッセージを使用するユーザ端末との間でメッセージを相互通信するためメッセージを変換する方法及びシステムは、ネットワークが発呼パーティから被呼パーティへ送信されるＩＭＳメッセージを受信するとき、被呼パーティがＩＭＳメッセージを現在受信できないと判断した場合に、発呼パーティから送信されたＩＭＳメッセージを被呼パーティにより現在受信されることのできる非ＩＭＳメッセージに変換し、それを被呼パーティへ送信し、ネットワークが発呼パーティから被呼パーティへ送信される非ＩＭＳメッセージを受信するとき、被呼パーティがＩＭＳメッセージを現在受信できることを判断したならば、発呼パーティから送信された非ＩＭＳメッセージをＩＭＳメッセージに変換し、それを被呼パーティへ送信することを含んでいる。システムはメッセージ受信判断装置とメッセージアプリケーション装置を含んでいる。本発明の方法及びシステムは発呼ユーザと被呼ユーザが同時にＩＭＳサービスを使用できないときメッセージの相互通信を実現することができる。【選択図】図４
2009500973.tif 000002
【特許請求の範囲】
【請求項１】
発呼者から被呼者へのメッセージがセッション初期プロトコル（ＳＩＰ）ベースのＩＰマルチメディアシステム（ＩＭＳ）メッセージであり、被呼者がＳＩＰベースのＩＭＳメッセージを現在受信することができないことが決定されたならば、
発呼者から被呼者へのＳＩＰベースのＩＭＳメッセージを被呼者により現在受信されることのできる非ＩＭＳメッセージへ変換して、その非ＩＭＳメッセージを被呼者へ転送し、
発呼者から被呼者へのメッセージが非ＩＭＳメッセージであり、被呼者がＳＩＰベースのＩＭＳメッセージを受信することができることが決定されたならば、
発呼者から被呼者への非ＩＭＳメッセージをＳＩＰベースのＩＭＳメッセージへ変換して、そのＳＩＰベースのＩＭＳメッセージを被呼者へ転送するステップを含んでいるメッセージの変換方法。
【請求項２】
さらに、被呼者から戻された応答メッセージを発呼者により受信されることのできるメッセージへ変換し、その変換されたメッセージを発呼者へ転送するステップを含んでいる請求項１記載の方法。
【請求項３】
前記発呼者から被呼者へのＳＩＰベースのＩＭＳメッセージを非ＩＭＳメッセージへ変換するステップは、
ＳＩＰメッセージから変換されている非ＩＭＳメッセージで使用するために、ＳＩＰメッセージ中の発呼者ＩＤと被呼者ＩＤを獲得し、これを被呼者が加入するネットワークタイプに対応するフォーマットのＩＤへ変換し、
非ＩＭＳメッセージのメッセージ本体内に全体として発呼者からのＳＩＰメッセージをカプセル化し、または発呼者からのＳＩＰメッセージをＳＩＰメッセージヘッダとＳＩＰメッセージ本体に分割し、ＳＩＰメッセージヘッダとＳＩＰメッセージ本体を非ＩＭＳメッセージヘッダと非ＩＭＳメッセージ本体へそれぞれ変換することにより非ＩＭＳメッセージを獲得するステップを含んでいる請求項１記載の方法。
【請求項４】
発呼者からのＳＩＰメッセージの長さが非ＩＭＳメッセージで特定される最大の長さよりも大きいならば、非ＩＭＳメッセージに対して特定された長さにしたがってＳＩＰメッセージを分割し多数の非ＩＭＳメッセージへ変換し、最後のメッセージを除く全ての多数の非ＩＭＳメッセージは転送未完了フラグまたは対応する通し番号でマークされ最後のメッセージは転送完了フラグでマークされる請求項３記載の方法。
【請求項５】
さらに、フラグにしたがって、多数の非ＩＭＳメッセージを１つの非ＩＭＳメッセージへ結合する処理を含んでいる請求項４記載の方法。
【請求項６】
発呼者から送信された非ＩＭＳメッセージをＳＩＰベースのＩＭＳメッセージへ変換する前記ステップは、
非ＩＭＳメッセージ中の発呼者ＩＤと被呼者ＩＤを獲得し、非ＩＭＳメッセージから変換されたＳＩＰメッセージで使用するために、それをＳＩＰメッセージシステムにより識別されることのできるＳＩＰ  ＵＲＩフォーマットのメッセージに変換し、
ＳＩＰメッセージのメッセージ本体内に全体として発呼者から送信された非ＩＭＳメッセージをカプセル化し、
発呼者からの非ＩＭＳメッセージを非ＩＭＳメッセージヘッダと非ＩＭＳメッセージ本体とに分割し、非ＩＭＳメッセージヘッダと非ＩＭＳメッセージ本体をＳＩＰメッセージヘッダとＳＩＰメッセージ本体へそれぞれ変換することによりＳＩＰメッセージを獲得するステップを含んでいる請求項１記載の方法。
【請求項７】
発呼者から送信される非ＩＭＳメッセージの長さがＳＩＰメッセージに対して特定される最大の長さよりも大きいならば、ＳＩＰメッセージに対して特定された長さにしたがって非ＩＭＳメッセージを分割して多数のＳＩＰメッセージへ変換し、最後のメッセージを除く全ての多数のＳＩＰメッセージは転送未完了フラグまたは対応する通し番号でマークされ、最後のメッセージは転送完了フラグでマークされる請求項６記載の方法。
【請求項８】
さらに、フラグにしたがって、多数のＳＩＰメッセージを１つのＳＩＰメッセージへ結合する処理を含んでいる請求項７記載の方法。
【請求項９】
ＳＩＰベースのＩＭＳと非ＩＭＳメッセージ間の変換は別々のアプリケーションサーバまたはＩＰ−ＳＭ−ＧＷまたはＳＭ−ＳＣで構成された機能モジュールにより行われる請求項１乃至８のいずれか１項記載の方法。
【請求項１０】
さらに、被呼者により戻された応答メッセージとしての転送報告メッセージを発呼者により受信されることのできるメッセージへ変換し、
発呼者ＩＤと被呼者ＩＤを獲得し、発呼者が加入するネットワークタイプに対応するフォーマットのＩＤへ変換するステップを含んでいる請求項９記載の方法。
【請求項１１】
転送報告メッセージを発呼者により受信されることのできるメッセージへ変換するステップは、
転送報告メッセージがＳＩＰメッセージであるならば、パラメータが移動体アプリケーションパート（ＭＡＰ）メッセージパラメータを参照して規定されるＳＩＰ応答メッセージを規定し、被呼者により戻された転送報告メッセージに関連されるデータを獲得し、それをＭＡＰメッセージパラメータへ変換し、ＳＩＰ応答メッセージを対応する転送報告情報を含むＭＡＰ転送報告メッセージへ変換し、
転送報告メッセージがＭＡＰメッセージであるならば、被呼者から戻されたＭＡＰ転送報告データを獲得し、それをＳＩＰ応答メッセージのパラメータへ変換し、ＭＡＰ応答メッセージを対応する転送報告情報を有するＳＩＰ応答メッセージへ変換するステップを含んでいる請求項１０記載の方法。
【請求項１２】
転送報告メッセージを発呼者により受信されることのできるメッセージへ変換する処理は、
転送報告メッセージがＳＩＰメッセージであるならば、ＳＩＰ転送報告メッセージに対するＩＤを設定して転送報告メッセージとしてＩＤを有するＳＩＰ転送報告メッセージを使用し、ＩＤを有するＳＩＰ転送報告メッセージのメッセージ本体にＭＡＰ転送報告パラメータ関連情報を含ませ、ＩＤを有するＳＩＰ転送報告メッセージの内容を獲得しそれを対応するパラメータを有するＭＡＰ転送報告メッセージに変換し、
転送報告メッセージがＭＡＰメッセージであるならば、被呼者により戻されるＭＡＰ転送報告データを獲得し、それをＩＤを有するＳＩＰ転送報告メッセージの内容へ変換するステップを含んでいる請求項１０記載の方法。
【請求項１３】
メッセージアプリケーションサーバまたは機能モジュールは、被呼者から戻されたＭＡＰ転送報告データを獲得し、それをＳＩＰ応答メッセージへ変換する請求項１０記載の方法。
【請求項１４】
発呼側のネットワーク中のメッセージ送信／受信エンティティに接続され、発呼側のネットワークからメッセージを受信し、そのメッセージが被呼者により現在受信されることができるか否かを決定することによりメッセージフォーマット変換を行うか否かを決定し、変換を行うことが決定されたならば変換を行うためにメッセージをアプリケーションサーバへ転送するように構成されているメッセージ受信及び決定装置と、
被呼側のネットワーク中のメッセージ送信／受信エンティティに接続され、ＩＭＳと非ＩＭＳメッセージとの間でメッセージフォーマットの変換を行い、被呼側のネットワークのメッセージ送信／受信エンティティを介して被呼者へ変換されたメッセージを転送し、被呼者から戻された転送報告メッセージを受信して変換し、変換された転送報告メッセージを発呼側のネットワークのメッセージ受信及び決定装置およびメッセージ送信／受信エンティティを介して発呼者へ転送するように構成されているアプリケーションサーバとを具備しているメッセージ変換用システム。
【請求項１５】
前記アプリケーションサーバは、
メッセージ受信及び決定装置およびメッセージ送信／転送報告受信モジュールに接続され、ＩＭＳメッセージと非ＩＭＳメッセージとの間でメッセージフォーマット変換を行うように構成されているメッセージフォーマット変換モジュールと、
被呼側のネットワークのメッセージ送信／受信エンティティに接続され、変換されたメッセージを被呼者へ転送する被呼側のネットワークのメッセージ送信／受信エンティティへ変換されたメッセージを送信し、被呼者から戻された転送報告メッセージを受信してメッセージフォーマット変換モジュールへ転送するように構成されているメッセージ送信／転送報告受信モジュールとを具備し、
メッセージフォーマット変換モジュールはさらに、転送報告メッセージを変換し、発呼側のネットワークのメッセージ受信及び決定装置とメッセージ送信／受信エンティティを介して変換された転送報告メッセージを発呼者へ転送するように構成されている請求項１４記載のシステム。
【請求項１６】
アプリケーションサーバは別々のネットワークエンティティまたはＩＰメッセージゲートウェイ（ＩＰ−ＳＭ−ＧＷ）またはショートメッセージセンタ（ＳＭ−ＳＣ）で構成された機能モジュールである請求項１４記載のシステム。
【発明の詳細な説明】
【技術分野】
【０００１】
本発明は移動体電気通信の分野に関し、特にＩＰマルチメディアシステム（ＩＭＳ）メッセージを使用するユーザ装置（ＵＥ）と非ＩＭＳメッセージを使用するＵＥが相互のメッセージを通信することを可能にする方法及びシステムに関する。
【背景技術】
【０００２】
種々のＩＰアクセス技術の出現と開発により、ＩＰ  ＵＥが移動体ネットワークで利用可能なサービスを提供する方法が第３世代のパートナーシッププロジェクト（３ＧＰＰ）標準組織の目的になっている。広域網（ＷＬＡＮ）ネットワークおよび次世代ネットワーク（ＮＧＮ）ネットワークのようなＩＰアクセスベースのネットワークが益々普及することを考慮すると、ＷＬＡＮおよびＷＣＤＭＡ／ＧＳＭマルチモードＵＥのようなＩＰアクセス及び移動体ネットワークアクセスをサポートする種々のＩＰ  ＵＥまたはマルチモードＵＥが既存の移動体ネットワークサービス機能エンティティ及びプロトコルを可能な限り再使用し、ＩＰベースのアクセスネットワークを介して移動体コアネットワークをアクセスする方法はオペレータにとって関心のあることである。
【発明の開示】
【発明が解決しようとする課題】
【０００３】
既存の仕様では、メッセージは可能なときは何時でもＩＭＳフォーマットで転送されることを必要とされている。しかしながら発呼者または被呼者のいずれかがＩＭＳサービスを使用できない（例えば発呼者または被呼者のいずれかがＩＭＳサービスに加入していないか、現在いくつかの非ＩＭＳネットワークの加入者のみである）ならば、発呼者または被呼者は他の手段により相互通信できる。例えばＩＭＳネットワークが利用可能ではない場所に旅行するとき、ＩＭＳ加入者は回路交換（ＣＳ）ドメイン、パケット交換（ＰＳ）ドメインまたはＷＬＡＮネットワークのような非ＩＭＳネットワークの加入者でなければならない。この状態では、ＩＭＳの発呼者から被呼者へＩＭＳメッセージを送信するために、メッセージフォーマットを変換すること、即ちＩＭＳメッセージを非ＩＭＳメッセージへ変換することが必要である。同様に、通常のＣＳまたはＰＳ加入者がメッセージをＩＭＳ加入者へ送信する場合、メッセージはＩＭＳ加入者により受信されるように非ＩＭＳフォーマットからＩＭＳフォーマットへ変換されなければならない。その理由は、例えばＣＳ能力を有するＵＥのみがＩＭＳネットワーク中で経路設定されることのできないＥ．１６４フォーマットの加入者ＩＤを処理することができるだけであり、メッセージフォーマットが適切に変換されなければ、ネットワークはメッセージフォーマット、発呼者または被呼者ＩＤをサポートしないことによって、ＭＡＰメッセージフォーマットとセッション初期化プロトコル（ＳＩＰ）メッセージフォーマット間の差によってメッセージは適切に送信されないためである。それ故、異なるタイプのネットワークにアクセスするＵＥが相互にメッセージを相互通信することを可能にする目的で、メッセージフォーマットは適切に変換されなければならない。しかしながら従来の技術はメッセージフォーマット変換についての方法を全く開示していない。
【課題を解決するための手段】
【０００４】
本発明の実施形態はメッセージ変換のための方法及びシステムを提供し、それによって発呼者または被呼者のいずれかがＩＭＳサービスを使用できない場合に、発呼者と被呼者がメッセージを互いに相互通信することを可能にする。
【０００５】
本発明の１実施形態による方法は、
発呼者から被呼者へのメッセージがセッション初期プロトコル（ＳＩＰ）ベースのＩＰマルチメディアシステム（ＩＭＳ）メッセージであり、被呼者がＳＩＰベースのＩＭＳメッセージを現在受信することができないことが決定された場合には、
発呼者から被呼者へのＳＩＰベースのＩＭＳメッセージを被呼者により現在受信されることのできる非ＩＭＳメッセージへ変換し、その非ＩＭＳメッセージを被呼者へ転送し、
発呼者から被呼者へのメッセージが非ＩＭＳメッセージであり、被呼者がＳＩＰベースのＩＭＳメッセージを受信することができることが決定されたならば、
発呼者から被呼者への非ＩＭＳメッセージをＳＩＰベースのＩＭＳメッセージへ変換して、ＳＩＰベースのＩＭＳメッセージを被呼者へ転送するステップを含んでいる。
【０００６】
本発明の１実施形態による方法はさらに、
被呼者から戻された応答メッセージを発呼者により受信されることのできるメッセージへ変換し、その変換されたメッセージを発呼者へ転送するステップを含んでいる。
【０００７】
本発明の１実施形態による方法では、発呼者から被呼者へのＳＩＰベースのＩＭＳメッセージを非ＩＭＳメッセージへ変換するステップは、
ＳＩＰメッセージから変換されている非ＩＭＳメッセージで使用するために、ＳＩＰメッセージ中の発呼者ＩＤと被呼者ＩＤを獲得し、これを被呼者が加入するネットワークタイプに対応するフォーマットのＩＤへ変換し、
非ＩＭＳメッセージのメッセージ本体内に全体として発呼者からのＳＩＰメッセージをカプセル化し、または発呼者からのＳＩＰメッセージをＳＩＰメッセージヘッダとＳＩＰメッセージ本体に分割し、ＳＩＰメッセージヘッダとＳＩＰメッセージ本体を非ＩＭＳメッセージヘッダと非ＩＭＳメッセージ本体へそれぞれ変換することにより非ＩＭＳメッセージを獲得するステップを含んでいる。
【０００８】
本発明の１実施形態による方法では、発呼者からのＳＩＰメッセージの長さが非ＩＭＳメッセージに対して特定される最大の長さよりも大きいならば、非ＩＭＳメッセージに対して特定された長さにしたがってＳＩＰメッセージを分割し多数の非ＩＭＳメッセージへ変換し、最後のメッセージを除く全ての多数の非ＩＭＳメッセージは転送未完了フラグまたは対応する通し番号でマークされ、最後のメッセージは転送完了フラグでマークされる。
【０００９】
本発明の１実施形態による方法はさらに、フラグにしたがって多数の非ＩＭＳメッセージを１つの非ＩＭＳメッセージへ結合するステップを含んでいる。
【００１０】
本発明の１実施形態による方法では、発呼者から送信された非ＩＭＳメッセージをＳＩＰベースのＩＭＳメッセージへ変換するステップは、
非ＩＭＳメッセージ中の発呼者ＩＤと被呼者ＩＤとを獲得し、非ＩＭＳメッセージから変換されたＳＩＰメッセージで使用するために、それをＳＩＰメッセージシステムにより識別されることのできるＳＩＰ  ＵＲＩフォーマットのメッセージに変換し、
ＳＩＰメッセージのメッセージ本体内に全体として発呼者からの非ＩＭＳメッセージをカプセル化し、
発呼者からの非ＩＭＳメッセージを非ＩＭＳメッセージヘッダと非ＩＭＳメッセージ本体とに分割し、非ＩＭＳメッセージヘッダと非ＩＭＳメッセージ本体をＳＩＰメッセージヘッダとＳＩＰメッセージ本体へそれぞれ変換することによりＳＩＰメッセージを獲得するステップを含んでいる。
【００１１】
本発明の１実施形態による方法では、発呼者から送信される非ＩＭＳメッセージの長さがＳＩＰメッセージで特定される最大の長さよりも大きいならば、ＳＩＰメッセージに対して特定された長さにしたがって非ＩＭＳメッセージを分割し多数のＳＩＰメッセージへ変換し、最後のメッセージを除く全ての多数のＳＩＰメッセージは転送未完了フラグまたは対応する通し番号でマークされ、最後のメッセージは転送完了フラグでマークされる。
【００１２】
本発明の１実施形態による方法はさらに、フラグにしたがって多数のＳＩＰメッセージを１つのＳＩＰメッセージへ結合するステップを含んでいる。
【００１３】
本発明の１実施形態による方法では、ＳＩＰベースのＩＭＳと非ＩＭＳメッセージとの間の変換は別々のアプリケーションサーバまたはＩＰ−ＳＭ−ＧＷまたはＳＭ−ＳＣで構成された機能モジュールにより行われる。
【００１４】
本発明の１実施形態による方法はさらに、
被呼者により戻された応答メッセージとしての転送報告メッセージを発呼者により受信されることのできるメッセージへ変換し、
発呼者ＩＤと被呼者ＩＤを獲得し、発呼者が加入するネットワークタイプに対応するフォーマットのＩＤへ変換するステップを含んでいる。
【００１５】
本発明の１実施形態による方法において、転送報告メッセージを発呼者により受信されることのできるメッセージへ変換するステップは、
転送報告メッセージがＳＩＰメッセージであるならば、パラメータが移動体アプリケーションパート（ＭＡＰ）メッセージパラメータを参照して規定されるＳＩＰ応答メッセージを規定し、被呼者により戻された転送報告メッセージに関連されるデータを獲得し、それをＭＡＰメッセージパラメータへ変換し、ＳＩＰ応答メッセージを対応する転送報告情報を有するＭＡＰ転送報告メッセージへ変換し、
転送報告メッセージがＭＡＰメッセージであるならば、被呼者から戻されたＭＡＰ転送報告データを獲得し、それをＳＩＰ応答メッセージ中のパラメータへ変換し、ＭＡＰ応答メッセージを対応する転送報告情報を有するＳＩＰ応答メッセージへ変換する。
【００１６】
本発明の１実施形態による方法では、転送報告メッセージを発呼者により受信されることのできるメッセージへ変換する処理は、
転送報告メッセージがＳＩＰメッセージであるならば、ＳＩＰ転送報告メッセージのＩＤを設定して転送報告メッセージとしてＩＤを有するＳＩＰ転送報告メッセージを使用し、ＩＤを有するＳＩＰ転送報告メッセージのメッセージ本体にＭＡＰ転送報告パラメータ関連情報を搬送し、ＩＤを有するＳＩＰ転送報告メッセージの内容を獲得し、それを対応するパラメータを有するＭＡＰ転送報告メッセージに変換し、
転送報告メッセージがＭＡＰメッセージである場合には、被呼者により戻されるＭＡＰ転送報告データを獲得し、それをＩＤを有するＳＩＰ転送報告メッセージの内容へ変換する。
【００１７】
本発明の１実施形態による方法において、メッセージアプリケーションサーバまたは機能モジュールは被呼者から戻されたＭＡＰ転送報告データを獲得し、それをＳＩＰ応答メッセージへ変換する。
【００１８】
本発明の１実施形態によるシステムは、
発呼側のネットワーク中のメッセージ送信／受信エンティティに接続され、発呼側のネットワークからメッセージを受信し、そのメッセージが被呼者により現在受信されることができるか否かを決定することによりメッセージフォーマット変換を行うか否かを決定して変換を行うことが決定されたならば変換を行うためにメッセージをアプリケーションサーバへ転送するように構成されているメッセージ受信及び決定装置と、
被呼側のネットワーク中のメッセージ送信／受信エンティティに接続され、ＩＭＳと非ＩＭＳメッセージとの間でメッセージフォーマットの変換を行い、被呼側のネットワークのメッセージ送信／受信エンティティを介して被呼者へ変換されたメッセージを転送し、被呼者から戻された転送報告メッセージを受信して変換し、変換された転送報告メッセージを発呼側のネットワークのメッセージ受信及び決定装置とメッセージ送信／受信エンティティを介して発呼者へ転送するように構成されているアプリケーションサーバとを含んでいる。
【００１９】
本発明の１実施形態によるシステムでは、アプリケーションサーバは、
メッセージ受信及び決定装置とメッセージ送信／転送報告受信モジュールに接続され、ＩＭＳメッセージと非ＩＭＳメッセージとの間でメッセージフォーマット変換を行うように構成されているメッセージフォーマット変換モジュールと、
被呼側のネットワークのメッセージ送信／受信エンティティに接続され、変換されたメッセージを被呼側のネットワークのメッセージ送信／受信エンティティへ送信し、そのエンティティは変換されたメッセージを被呼者へ転送し、被呼者から戻された転送報告メッセージを受信しメッセージフォーマット変換モジュールへ転送するように構成されているメッセージ送信／転送報告受信モジュールとを具備し、
メッセージフォーマット変換モジュールはさらに転送報告メッセージを変換し、発呼側のネットワークのメッセージ受信及び決定装置とメッセージ送信／受信エンティティを介して変換された転送報告メッセージを発呼者へ転送するように構成されている。
【００２０】
本発明の１実施形態によるシステムでは、アプリケーションサーバは別々のネットワークエンティティまたはＩＰメッセージゲートウェイ（ＩＰ−ＳＭ−ＧＷ）またはショートメッセージセンタ（ＳＭ−ＳＣ）で構成された機能モジュールである。
【００２１】
本発明の利点は以下のとおりである。  
本発明による方法を使用して、ＩＭＳメッセージと非ＩＭＳメッセージとの間のメッセージフォーマットの変換は、発呼者と被呼者との間のＩＭＳメッセージと非ＩＭＳメッセージとの相互通信を可能にするために実行されることができる。さらに被呼者から戻された非ＩＭＳ応答メッセージはＩＭＳメッセージに変換されることができ、これはその後発呼者に戻され、または被呼者から戻されるＩＭＳ応答メッセージは発呼者により受信されることのできるフォーマットのメッセージに変換されることができ、それによって発呼者と被呼者は発呼者または被呼者のいずれかがＩＭＳサービスを使用することができない場合に相互にメッセージを相互通信することができる。
【発明を実施するための最良の形態】
【００２２】
本発明の実施形態を以下の図面を参照してより詳細に説明する。  
本発明の１実施形態はＩＭＳメッセージを使用するＵＥと非ＩＭＳメッセージを使用するＵＥが相互にメッセージを相互通信することを可能にする方法を提供し、その方法は、
発呼者から被呼者へのメッセージがＩＰマルチメディアシステム（ＩＭＳ）メッセージであり被呼者がセッション初期プロトコル（ＳＩＰ）ベースのＩＭＳメッセージを現在受信することができないことが決定された場合には、
発呼者から被呼者へのＳＩＰベースのＩＭＳメッセージを被呼者により現在受信されることのできる非ＩＭＳメッセージへ変換し、その非ＩＭＳメッセージを被呼者へ転送し、
発呼者から被呼者へのメッセージが非ＩＭＳメッセージであり、被呼者がＳＩＰベースのＩＭＳメッセージを受信することができることが決定された場合には、
発呼者から被呼者への非ＩＭＳメッセージをＳＩＰベースのＩＭＳメッセージへ変換し、ＳＩＰベースのＩＭＳメッセージを被呼者へ転送するステップを含んでいる。
【００２３】
ＩＭＳメッセージと非ＩＭＳメッセージとの間の変換は別々のアプリケーションサーバまたはＩＰ−ＳＭ−ＧＷまたはＳＭ−ＳＣで構成された機能モジュールにより行われることができる。
【００２４】
被呼者から戻される転送報告メッセージはアプリケーションサーバまたは機能モジュールにより発呼者により受信されることのできるメッセージに変換される。
【００２５】
ＩＭＳと非ＩＭＳメッセージ間の変換は以下示すように行われる。  
例１−ＳＩＰメッセージから非ＩＭＳメッセージへの変換
以下の３つの方法が存在する。  
（１）発呼者から送信される全体的なＳＩＰメッセージは非ＩＭＳメッセージのメッセージ本体内にカプセル化され、発呼者ＩＤと被呼者ＩＤが得られ、ＳＩＰメッセージから変換された非ＩＭＳメッセージで使用するために、非ＩＭＳメッセージシステムにより識別されることのできるＥ．１６４またはネットワークアクセス識別子（ＮＡＩ）のような被呼者が加入するネットワークタイプに対応するフォーマットのＩＤに変換される。
【００２６】
（２）ＳＩＰメッセージはメッセージヘッダとメッセージ本体とに分割され、メッセージヘッダとメッセージ本体は抽出され、ＳＩＰメッセージは非ＩＭＳメッセージに変換され、ＳＩＰメッセージのメッセージヘッダは非ＩＭＳメッセージのメッセージヘッダに変換され、ＳＩＰメッセージのメッセージ本体は非ＩＭＳメッセージのメッセージ本体に変換され、発呼者ＩＤと被呼者ＩＤはＳＩＰメッセージから変換された非ＩＭＳメッセージで使用するため、非ＩＭＳメッセージシステムにより識別されることのできるＥ．１６４またはネットワークアクセス識別子（ＮＡＩ）のような被呼者が加入するネットワークタイプに対応するフォーマットのＩＤに変換される。
【００２７】
ＳＩＰメッセージの長さが非ＩＭＳメッセージに対して特定される最大の長さよりも大きいならば、そのＳＩＰメッセージは分割され非ＩＭＳメッセージに対して特定された長さを有する多数の非ＩＭＳメッセージに変換される。最後のメッセージを除く全ての多数の非ＩＭＳメッセージはメッセージが完全に転送されていないことを示す転送未完了フラグまたは対応する通し番号でマークされている。最後のメッセージはメッセージが完全に転送されたことを示す転送完了フラグがマークされている。可能ならば、メッセージ受信エンドは転送未完了フラグと転送完了フラグにしたがって多数の非ＩＭＳメッセージを１つのメッセージへ結合することができる。
【００２８】
例２−非ＳＩＰメッセージからＩＭＳメッセージへの変換  
（１）全体的な非ＩＭＳメッセージはＳＩＰメッセージのメッセージ本体内にカプセル化される。非ＩＭＳメッセージ中の発呼者ＩＤと被呼者ＩＤが得られ、非ＩＭＳメッセージから変換されたＳＩＰメッセージ中で使用されるためにＳＩＰメッセージシステムにより識別されることが可能なＳＩＰ  ＵＲＩフォーマットのＩＤに変換される。
【００２９】
（２）非ＩＭＳメッセージはメッセージヘッダとメッセージ本体とに分割され、メッセージヘッダとメッセージ本体が抽出され、非ＩＭＳメッセージはＳＩＰメッセージに変換され、非ＩＭＳメッセージのメッセージヘッダはＳＩＰメッセージのメッセージ本体に変換され、非ＩＭＳメッセージのメッセージ本体はＳＩＰメッセージのメッセージ本体に変換される。非ＩＭＳメッセージの発呼者ＩＤと被呼者ＩＤが得られ、これは非ＩＭＳメッセージから変換されたＳＩＰメッセージで使用するために、ＳＩＰメッセージシステムにより識別されることのできるＳＩＰ  ＵＲＩフォーマットに変換される。
【００３０】
非ＩＭＳメッセージの長さがＳＩＰメッセージに対して特定される最大の長さよりも大きいならば、その非ＩＭＳメッセージは分割され、ＳＩＰメッセージに対して特定された長さを有する多数のＳＩＰメッセージに変換され、最後のメッセージを除く全ての多数のＳＩＰメッセージはメッセージが完全に転送されていないことを示す転送未完了フラグまたは対応する通し番号でマークされており、最後のメッセージはメッセージが完全に転送されたことを示す転送完了フラグでマークされている。可能ならば、メッセージ受信エンドは転送未完了フラグと転送完了フラグにしたがって多数のＳＩＰメッセージを１つのメッセージへ結合することができる。
【００３１】
ＩＭＳと非ＩＭＳメッセージとの間の相互通信期間中、転送報告メッセージのフォーマットの変換を以下の例により示す。  
（１）そのパラメータが移動体アプリケーションパート（ＭＡＰ）メッセージパラメータを参照して規定されるＳＩＰ応答メッセージが規定され、被呼者により戻された転送報告メッセージに関連されるデータが獲得され、別々のアプリケーションサーバまたは機能モジュールによりＭＡＰメッセージパラメータへ変換され、ＳＩＰ応答メッセージは別々のアプリケーションサーバまたは機能モジュールによりＭＡＰ転送報告メッセージへ変換され、或いは被呼者から戻されたＭＡＰ転送報告メッセージが得られ、ＳＩＰ応答メッセージ中のパラメータへ変換され、ＭＡＰ応答メッセージはＳＩＰ応答メッセージに変換される。
【００３２】
（２）ＩＤがＳＩＰメッセージに対して設定され、ＩＤを有するＳＩＰメッセージは転送報告メッセージとして使用され、被呼者のＵＥにより、ＭＡＰ転送報告パラメータに関連される情報はＩＤを有するＳＩＰメッセージのメッセージ本体に置かれ、ＩＤを有するＳＩＰメッセージの内容が得られ、アプリケーションサーバまたは機能モジュールにより対応するパラメータを有するＭＡＰ転送報告メッセージに変換され、或いは被呼者から戻されるＭＡＰ転送報告データはＩＤを有するＳＩＰメッセージの内容に変換される。
【００３３】
（３）被呼者から戻されるＭＡＰ転送報告データが得られ、アプリケーションサーバまたは機能モジュールにより対応する転送報告情報を有するＳＩＰ応答メッセージに変換される。
【００３４】
本発明の実施形態による方法を添付図面を参照して以下詳細に説明する。  
図１の（ａ）と（ｂ）は本発明の１実施形態による発呼者により開始される呼のメッセージのフロー図を概略的に示している。
【００３５】
図１の（ａ）と（ｂ）に示されているように、ＵＥ１は送信されるインスタントメッセージを生成し、ＳＩＰメッセージをサービス呼セッション制御機能エンティティ１（Ｓ−ＣＳＣＦ１）に送信する。そのＳ−ＣＳＣＦ１はサービス制御を行い、被呼者ＩＤがＳＩＰ  ＵＲＩフォーマットであることを決定した後、正常としてＩＭＳメッセージを送信し、または被呼者ＩＤがＴＥｌ  ＵＲＩフォーマットであることを決定した後、ＳＩＰメッセージをアプリケーションサーバとして使用されるＩＰショートメッセージゲートウェイ（ＩＰ−ＳＭ−ＧＷ）に転送する。アプリケーションサーバとして使用されるＩＰ−ＳＭ−ＧＷは被呼者ＩＤでＥＮＵＭ（電話番号マッピング）分解を行う。図２に示されているように、アプリケーションサーバにより被呼者ＩＤをパーズするプロセスを概略的に示すフロー図が示されている。
【００３６】
ａ．被呼者ＩＤがＳＩＰ  ＵＲＩフォーマットに適切に変換されるのに成功するならば、図１の（ａ）のステップ１−８に示されているように、被呼者ＩＤがＳＩＰ  ＵＲＩフォーマットに適切に変換されたことを示すメッセージがＳ−ＣＳＣＦ１に戻され、これはＳＩＰ  ＵＲＩの被呼者ＩＤの被呼者ＩＤにしたがって被呼者が加入するＩＭＳネットワークをアドレスし、被呼者が加入するＩＭＳネットワークへメッセージを転送する。Ｓ−ＣＳＣＦ１がＳＩＰメッセージを被呼者が加入するＩＭＳネットワークへ転送する態様は従来技術と類似しているか同じであり、それ故ここで詳細に説明しない。
【００３７】
ｂ．そうでなければ、図１の（ｂ）に示されているように、ＴＥＬ  ＵＲＩフォーマット中の被呼者ＩＤはＥ．１６４フォーマットの加入者ＩＤに変換され、ＩＭＳメッセージフォーマットはＩＭＳメッセージに搭載される内容にしたがってショートメッセージサービス（ＳＭＳ）またはマルチメディアメッセージサービス（ＭＭＳ）メッセージフォーマットに変換され、変換されたメッセージは通常のＳＭＳセンタまたはＭＭＳセンタへ転送される。アプリケーションサーバとして使用されるＩＰ−ＳＭ−ＧＷが被呼者から戻される非ＩＭＳ転送報告メッセージを受信するならば（例えばＭＡＰ  ＳＭＳメッセージが被呼者へ送信されるならば）、ＭＡＰ転送報告メッセージは被呼者へ戻される。図３に示されているように、アプリケーションサーバとして使用されるＩＰ−ＳＭ−ＧＷはＩＭＳメッセージをＵＥ１へ戻すことが必要であると決定した後に、非ＩＭＳ報告メッセージをＩＭＳ転送報告メッセージへ変換し、ＩＭＳ転送報告メッセージをＵＥ１加入者が加入するＳ−ＣＳＣＦ１へ送信し、そうでなければ他の処理を行う。
【００３８】
前述の説明から分かるように、発呼者がＩＭＳインスタントメッセージのフォーマットでメッセージを送信するならば、および被呼者がＩＭＳネットワークによって正常にＩＭＳフォーマットメッセージを受信できるならば、メッセージを終端するプロセスは従来技術のプロセスと類似しており、被呼者が非ＩＭＳネットワークに加入し、メッセージが非ＩＭＳネットワークによって送信される必要があるならば、ＩＭＳメッセージと非ＩＭＳメッセージとの間のメッセージフォーマットの変換は、被呼者がメッセージを正確に受信することができることを確実にするために必要とされる。メッセージフォーマット変換機能は図４と図５に示されているように、登録されていないサービスまたはＩＰ−ＳＭ−ＧＷを提供するアプリケーションサーバに位置されることができる。
【００３９】
図４は以下説明するように、メッセージフォーマット変換機能が登録されていないサービスを提供するアプリケーションサーバに位置されている場合のメッセージ転送プロセスを示している。
【００４０】
１．問合せ−呼セッション制御機能（Ｉ−ＣＳＣＦ）エンティティは発呼者からＳＩＰメッセージを受信する。
【００４１】
２．Ｉ−ＣＳＣＦはＣｘ位置問合せ（Ｃｘ−ＬｏｃＱｕｅｒｙ）をホーム加入者サーバ（ＨＳＳ）へ送信し、被呼者ＵＥ２のＳ−ＣＳＣＦをリクエストする。ＵＥ２がＩＭＳネットワークにより登録されていないが幾つかの登録されていないサービス（状態）に加入しているＩＭＳ加入者であることをＨＳＳが問い合わせるならば、ＨＳＳは登録前に被呼者が加入するＳ−ＣＳＣＦまたは被呼者が登録前に位置される場所にしたがってＣｘ位置問合せの要求およびＣｘ位置問合せの要求を満たすＳ−ＣＳＣＦのセットをＩ−ＣＳＣＦに対して戻す。Ｉ−ＣＳＣＦはＨＳＳから送信される登録前に、Ｓ−ＣＳＣＦまたはＳ−ＣＳＣＦのセットにしたがって適切なＳ−ＣＳＣＦ２を選択する。
【００４２】
３．Ｉ−ＣＳＣＦはＳＩＰメッセージを選択されたＳ−ＣＳＣＦ２へ転送する。
【００４３】
４．メッセージの受信後、Ｓ−ＣＳＣＦ２は（公共加入者ＩＤ、Ｓ−ＣＳＣＦ名を有する）Ｃｘ−Ｐｕｔ／Ｃｘ−ＰｕｌｌをＨＳＳへ送信する。ＨＳＳは登録されていない公共加入者ＩＤのＳ−ＣＳＣＦ２の名を記憶し、（加入者情報を有する）Ｃｘ−Ｐｕｔ  Ｒｅｓｐ／Ｃｘ−Ｐｕｌｌ  ＲｅｓｐをＳ−ＣＳＣＦ２へ戻す。Ｓ−ＣＳＣＦ２は公共加入者ＩＤのような加入者情報を記憶する。
【００４４】
５．Ｓ−ＣＳＣＦ２は加入者が加入する登録されていないサービスに適したサービス論理を呼出す。
【００４５】
６．Ｓ−ＣＳＣＦ２はＳＩＰメッセージをアプリケーションサーバへ転送する。
【００４６】
７．アプリケーションサーバは任意の他の手段によりメッセージを転送するか否かを決定し、
転送する場合には、メッセージを記憶し、加入者がＩＭＳを登録したという通知を待機し、
そうではないならば、経路指定情報を得るためにＨＳＳへの経路指定問合せリクエストを開始し、経路指定問合せリクエストは幾つかのＩＰベースのメッセージ送信モードのようなアプリケーションサーバにより受信されることのできるメッセージ送信モードがＣＳ、ＰＳおよび／またはＷＬＡＮ等を含んでいることを示している。被呼者が他のネットワーク（例えばＣＳドメイン、ＰＳドメイン、Ｉ−ＷＬＡＮまたはＷｉｍａｘ等）により登録するならば、ＨＬＳ／ＨＳＳはアプリケーションサーバに対して、移動体サービスセンタ（ＭＳＣ）アドレス、サービスＧＰＲＳサポートノード（ＳＧＳＮ）アドレスおよび／またはＩＰ−ＳＭ−ＧＷアドレスを含む加入者が登録するネットワークアドレスの優先順位の分類のリストを戻す。
【００４７】
８．加入者が登録するネットワークアドレスのリストにしたがって、アプリケーションサーバは対応する送信ネットワークを選択し、ＳＩＰメッセージフォーマットを対応するメッセージフォーマットへ変換し、被呼者ＩＤを被呼者が加入するネットワークタイプに対応するＥ．１６４またはＮＡＩのようなフォーマットの加入者ＩＤへ変換し、変換されたメッセージを再度カプセル化する。
【００４８】
９．アプリケーションサーバは被呼者が加入するＭＳＣ、ＳＧＳＮまたはＩＰ−ＳＭ−ＧＷのような変換されたメッセージをメッセージネットワーク素子へ送信する。
【００４９】
１０．被呼者が加入するメッセージネットワーク素子はメッセージを被呼ＵＥ２へ転送する。
【００５０】
１１．ＵＥ２はメッセージの受信後に受信が成功したことを示す転送報告メッセージを戻す。
【００５１】
１２．被呼者が加入するメッセージネットワーク素子は転送報告メッセージをアプリケーションサーバへ戻す。
【００５２】
１３．転送報告メッセージを受信するとき、アプリケーションサーバは転送報告メッセージを適切なＳＩＰ確認応答メッセージへ変換する。
【００５３】
１４．Ｓ−ＣＳＣＦ２は適切な確認応答メッセージをＩ−ＣＳＣＦ２へ転送する。
【００５４】
１５．Ｉ−ＣＳＣＦ２は適切な確認応答メッセージを発呼ネットワークへ転送する。
【００５５】
ブロック13−15では、アプリケーションサーバはまたＳ−ＣＳＣＦ２からメッセージを受信するとき確認応答メッセージを戻すことができる。
【００５６】
図５は以下説明するようにメッセージフォーマット変換機能がＩＰ−ＳＭ−ＧＷに存在する場合のメッセージ転送プロセスを示している。
【００５７】
図５のステップ１−７は図４のものと同一であるので、ここでは説明しない。
【００５８】
８．登録されていないサービスを提供するアプリケーションサーバがＩＰ−ＳＭ−ＧＷを介してメッセージを転送するように選択するならば、これはメッセージを直接ＩＰ−ＳＭ−ＧＷへ転送する。
【００５９】
９．ＩＰ−ＳＭ−ＧＷはＳＩＰメッセージフォーマットを現在の被呼ネットワークに対応するメッセージフォーマットへ変換し、被呼者ＩＤを被呼者が加入するネットワークタイプに対応するＥ．１６４またはＮＡＩのようなフォーマットの加入者ＩＤに変換する。
【００６０】
１０．ＩＰ−ＳＭ−ＧＷは変換されたメッセージを被呼者へ転送する。
【００６１】
１１．被呼ＵＥ２はメッセージの受信後、受信成功の転送報告メッセージを戻す。
【００６２】
１２．転送報告メッセージの受信後、ＩＰ−ＳＭ−ＧＷは転送報告メッセージをＳＩＰ確認応答メッセージへ変換する。
【００６３】
１３．ＩＰ−ＳＭ−ＧＷは変換されたＳＩＰ確認応答メッセージを登録されていないサービスを提供するアプリケーションサーバへ戻す。
【００６４】
１４．アプリケーションサーバは確認応答メッセージをＳ−ＣＳＣＦ２へ戻す。
【００６５】
１５．Ｓ−ＣＳＣＦ２は確認応答メッセージをＩ−ＣＳＣＦ２へ戻す。
【００６６】
１６．Ｉ−ＣＳＣＦ２は確認応答メッセージを発呼ネットワークへ戻す。
【００６７】
ブロック14−16のステップでは、アプリケーションサーバはまたＳ−ＣＳＣＦ２からメッセージを受信した後、確認応答メッセージを戻すことができる。
【００６８】
発呼者がサービス呼を開始するプロセス期間中、被呼者ＩＤがＴＥＬ  ＵＲＩフォーマットであり、アプリケーションサーバとして使用されるＩＰ−ＭＥＳＳＡＧＥ−ＧＷがＥＮＵＭ問合せによってＴＥＬ  ＵＲＩフォーマットをＳＩＰ  ＵＲＩフォーマットに変換することができないならば、アプリケーションサーバとして使用されるＩＰ−ＳＭ−ＧＷはＴＥＬ  ＵＲＩフォーマットの被呼者ＩＤをＥ．１６４フォーマットの加入者ＩＤに変換し、メッセージに搭載される内容にしたがってメッセージフォーマットをＳＭＳまたはＭＭＳメッセージフォーマットに変換し、その後そのメッセージを通常のＳＭＳセンタまたはＭＭＳセンタへ転送し、これは従来技術で使用される方法と同じ方法でメッセージを処理する。
【００６９】
被呼者がＩＭＳ  ＵＥであり、メッセージを開始する発呼者が非ＩＭＳ加入者、例えばＣＳ加入者であるならば、開始されるメッセージは通常のＭＡＰショートメッセージまたはＭＭＳメッセージである。被呼者への送信が成功するために、通常のＭＡＰショートメッセージまたはＭＭＳメッセージは被呼者により受信されることのできるＩＭＳメッセージに変換される必要がある。フォーマット変換機能はアプリケーションサーバまたはＩＰ−ＳＭ−ＧＷ中に存在することができ、メッセージ転送プロセスは図６と図７に示されているようなプロセスである。
【００７０】
図６は以下説明するように、メッセージフォーマット変換機能がアプリケーションサーバ中に存在する場合のメッセージ転送プロセスを示している。
【００７１】
１．ＵＥは正規の登録／再登録プロセスを行う。
【００７２】
２．ショートメッセージサービスセンタ（ＳＭ−ＳＣ）は被呼者へ送信されるショートメッセージをショートメッセージサービス−移動体サービスセンタのゲートウェイ（ＳＭＳ−ＧＭＳＣ）に転送する。
【００７３】
３．ＳＭＳ−ＧＭＳＣはＨＬＲ／ＨＳＳから経路指定情報を得るときＩＰメッセージを受信することができることを示す必要があり、それによって被呼者がＩＭＳサービスに加入するならば、ＨＬＲ／ＨＳＳはアプリケーションサーバのアドレスをＳＭＳ−ＧＭＳＣへ戻す。
【００７４】
４．ＳＭＳ−ＧＭＳＣはＭＳＣまたはＳＧＳＮへショートメッセージを送信する方法と同じ方法で、ショートメッセージに搭載される目的地ＵＥのＭＳＩＳＤＮと共にアプリケーションサーバへショートメッセージを送信する。
【００７５】
５．アプリケーションサーバは目的地ＵＥのＭＳＩＳＤＮをＵＥのＳＩＰ  ＵＲＩへ変換し、ショートメッセージをＳＩＰメッセージフォーマットのメッセージへ変換するためにローカルデータベース（または他のデータベース、変換装置等）を使用する。
【００７６】
６．アプリケーションサーバはＳＩＰメッセージフォーマットの変換されたメッセージをＳ−ＣＳＣＦへ送信する。
【００７７】
７．Ｓ−ＣＳＣＦはＳＩＰメッセージをＵＥに転送する。
【００７８】
８．ＵＥは２００のＯＫ応答をＳ−ＣＳＣＦへ戻す。
【００７９】
９．Ｓ−ＣＳＣＦは２００のＯＫ応答をアプリケーションサーバへ戻す。
【００８０】
１０．ＵＥはＳＩＰメッセージ転送報告メッセージをＳ−ＣＳＣＦへ送信する。
【００８１】
１１．Ｓ−ＣＳＣＦは転送報告メッセージをアプリケーションサーバへ送信する。
【００８２】
１２．アプリケーションサーバは２００のＯＫ確認メッセージ送信報告をＳ−ＣＳＣＦへ戻す。
【００８３】
１３．Ｓ−ＣＳＣＦは２００のＯＫ確認メッセージ送信報告をＵＥへ戻す。
【００８４】
１４．アプリケーションサーバはその内容にしたがってＳＩＰメッセージ転送報告メッセージをＭＡＰメッセージ転送報告メッセージに変換する。
【００８５】
１５．アプリケーションサーバはＭＡＰメッセージ転送報告メッセージをＳＭＳ−ＧＭＳＣへ送信する。
【００８６】
１６．ＳＭＳ−ＧＭＳＣはＭＡＰメッセージ転送報告メッセージをＨＳＳへ送信する。
【００８７】
１７．ＳＭＳ−ＧＭＳＣはＭＡＰメッセージ転送報告メッセージをＳＭＣへ送信する。
【００８８】
前述のプロセスでは、アプリケーションサーバは別々の機能エンティティまたは他のアプリケーションサーバの機能モジュールであってもよい。
【００８９】
図７は以下説明するように、メッセージフォーマット変換機能がＩＰ−ＳＭ−ＧＷに存在する場合のメッセージ転送プロセスを示している。
【００９０】
１．ＵＥは正規の登録／再登録プロセスを行う。
【００９１】
２．ＳＭＣは被呼者へ送信されるべきショートメッセージをＳＭＳ−ＧＭＳＣ）に転送する。
【００９２】
３．ＳＭＳ−ＧＭＳＣはＨＬＲ／ＨＳＳから経路指定情報を得るときＩＰメッセージを受信することができることを示さなければならず、それによって被呼者がＩＭＳサービスに加入するならば、ＨＬＲ／ＨＳＳはＩＰ−ＳＭ−ＧＷのアドレスをＳＭＳ−ＧＭＳＣへ戻される。
【００９３】
４．ＳＭＳ−ＧＭＳＣはＭＳＣまたはＳＧＳＮへショートメッセージを送信する方法と同じ方法で、ショートメッセージに搭載される目的地ＵＥのＭＳＩＳＤＮをＩＰ−ＳＭ−ＧＷへショートメッセージを送信する。
【００９４】
５．ＩＰ−ＳＭ−ＧＷは目的地ＵＥのＭＳＩＳＤＮをＵＥのＳＩＰ  ＵＲＩへ変換し、ショートメッセージをＳＩＰメッセージフォーマットのメッセージへ変換するためにローカルデータベースを使用する。
【００９５】
６．ＩＰ−ＳＭ−ＧＷはＳＩＰメッセージフォーマットの変換されたメッセージをＳ−ＣＳＣＦへ送信する。
【００９６】
７．Ｓ−ＣＳＣＦはＳＩＰメッセージをＵＥに転送する。
【００９７】
８．ＵＥは２００のＯＫ応答をＳ−ＣＳＣＦへ戻す。
【００９８】
９．Ｓ−ＣＳＣＦは２００のＯＫ応答をＩＰ−ＳＭ−ＧＷへ戻す。
【００９９】
１０．ＵＥはＳＩＰメッセージ転送報告メッセージをＳ−ＣＳＣＦへ送信する。
【０１００】
１１．Ｓ−ＣＳＣＦは転送報告メッセージをＩＰ−ＳＭ−ＧＷへ送信する。
【０１０１】
１２．ＩＰ−ＳＭ−ＧＷは２００のＯＫ確認メッセージ送信報告をＳ−ＣＳＣＦへ戻す。
【０１０２】
１３．Ｓ−ＣＳＣＦは２００のＯＫ確認メッセージ送信報告をＵＥへ戻す。
【０１０３】
１４．ＩＰ−ＳＭ−ＧＷはその内容にしたがってＳＩＰメッセージ転送報告メッセージをＭＡＰメッセージ転送報告メッセージに変換する。
【０１０４】
１５．ＩＰ−ＳＭ−ＧＷはＭＡＰメッセージ転送報告メッセージをＳＭＳ−ＧＭＳＣへ送信する。
【０１０５】
１６．ＳＭＳ−ＧＭＳＣはＭＡＰメッセージ転送報告メッセージをＨＳＳへ送信する。
【０１０６】
１７．ＳＭＳ−ＧＭＳＣはＭＡＰメッセージ転送報告メッセージをＳＭＣへ送信する。
【０１０７】
前述の方法の実施形態に基づいて、メッセージ変換のためのシステムが本発明の１実施形態にしたがって与えられる。図８に示されているように、システムはメッセージ受信及び決定装置とアプリケーションサーバを含むことができる。
【０１０８】
メッセージ受信及び決定装置は発呼側のネットワークの送信／受信エンティティへ接続され、発呼側からメッセージを受信するように構成されている。発呼側のネットワークがＩＭＳネットワークであるならば、発呼側のネットワーク中のメッセージ送信／受信エンティティはＳ−ＣＳＣＦまたはＩ−ＣＳＣＦであり、発呼側のネットワークがＰＳまたはＣＳネットワークであるならば、メッセージ送信／受信エンティティはＳＭＳ−ＧＭＳＣ等であることができる。
【０１０９】
メッセージ受信及び決定装置は、メッセージが被呼者により現在受信されることができるか否かを決定することによりメッセージフォーマット変換を行うか否かを決定し、行うことが決定されたならば変換を行うためにメッセージをアプリケーションサーバへ転送する。
【０１１０】
発呼側から送信されるＩＭＳメッセージを受信し、被呼者が現在ＩＭＳメッセージを受信することができないことが決定されるとき、メッセージ受信および決定装置はＩＭＳメッセージをアプリケーションサーバへ転送し、アプリケーションサーバはＩＭＳメッセージを被呼者により現在受信されることのできるフォーマットのメッセージに変換する。
【０１１１】
発呼側から被呼者へ送信される非ＩＭＳメッセージを受信し、被呼者が現在ＩＭＳメッセージを受信することができることが決定されるとき、メッセージ受信および決定装置は非ＩＭＳメッセージをアプリケーションサーバへ転送し、アプリケーションサーバは非ＩＭＳメッセージをＩＭＳメッセージに変換する。
【０１１２】
アプリケーションサーバは被呼側のネットワークのメッセージ送信／受信エンティティに接続されており、ＩＭＳと非ＩＭＳメッセージとの間のメッセージフォーマット変換を行い、被呼側のネットワークのメッセージ送信／受信エンティティを介して変換されたメッセージを被呼者へ転送するように構成されている。被呼側のネットワークがＩＭＳネットワークであるならば、被呼側のネットワークのメッセージ送信／受信エンティティはＳ−ＣＳＣＦまたはＩ−ＣＳＣＦであることができ、被呼側のネットワークがＰＳまたはＣＳネットワークであるならば、メッセージ送信／受信エンティティはＳＭＳ−ＧＭＳＣ等であることができる。
【０１１３】
アプリケーションサーバは被呼者から戻される転送報告メッセージを受信し変換し、変換された転送報告メッセージを発呼側のネットワークのメッセージ受信及び決定装置とメッセージ送信／受信エンティティを介して発呼者へ転送するように構成されることもできる。
【０１１４】
アプリケーションサーバはさらにメッセージフォーマット変換モジュールとメッセージ送信／転送報告受信モジュールを含むことができる。
【０１１５】
メッセージフォーマット変換モジュールはメッセージ受信及び決定装置とメッセージ送信／転送受信モジュールに接続され、ＩＭＳと非ＩＭＳメッセージとの間でメッセージフォーマット変換を行うように構成されている。
【０１１６】
メッセージ送信／転送報告受信モジュールは被呼側のネットワークのメッセージ送信／受信エンティティに接続され、変換されたメッセージを被呼側のネットワークのメッセージ送信／受信エンティティへ送信し、その被呼側のネットワークのメッセージ送信／受信エンティティは変換されたメッセージを被呼者へ転送し、被呼者から戻された転送報告メッセージをメッセージフォーマット変換モジュールへ転送するように構成され、メッセージフォーマット変換モジュールはさらに転送報告メッセージを変換し、変換された転送報告メッセージを発呼側のネットワークのメッセージ受信及び決定装置とメッセージ送信／受信エンティティを介して発呼者へ転送するように構成されている。
【０１１７】
アプリケーションサーバはＩＰ−ＳＭ−ＧＷまたはＳＭ−ＳＣに構成される別々のネットワークエンティティまたは機能モジュールである。
【０１１８】
前述の説明では、本発明をその特定の例示的な実施形態と共に説明した。種々の変化および変形が本発明の技術的範囲を逸脱せずに本発明に対して行われることができることが当業者に明白であり、本発明はこれらの変化及び変形が特許請求の範囲とその等価物により規定されるように本発明の技術的範囲内に入るならばそれらをカバーすることが意図されている。
【図面の簡単な説明】
【０１１９】
【図１】本発明の１実施形態による発呼者により開始される呼のメッセージのフロー図を示す概略図。
【図２】アプリケーションサーバにより被呼者ＩＤをパーズするプロセスを概略的に示すフロー図。
【図３】アプリケーションサーバにより転送報告メッセージを処理するプロセスを概略的に示すフロー図。
【図４】被呼側のネットワークがＩＭＳメッセージを受信した後のメッセージの変換と送信を概略的に示すフロー図。
【図５】被呼側のネットワークがＩＭＳメッセージを受信した後のメッセージの変換と送信を概略的に示す別のフロー図。
【図６】被呼側のネットワークが非ＩＭＳメッセージを受信した後のメッセージの変換と送信を概略的に示す別のフロー図。
【図７】被呼側のネットワークが非ＩＭＳメッセージを受信した後のメッセージの変換と送信を示す別のフロー図。
【図８】本発明の１実施形態によるメッセージ変換のためのシステムの１実施形態の概略図。
【図１】
2009500973.tif 000003
【図２】
2009500973.tif 000004
【図３】
2009500973.tif 000005
【図４】
2009500973.tif 000006
【図５】
2009500973.tif 000007
【図６】
2009500973.tif 000008
【図７】
2009500973.tif 000009
【図８】
2009500973.tif 000010
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
発呼者から被呼者へのメッセージがセッション初期プロトコル（ＳＩＰ）ベースのＩＰマルチメディアシステム（ＩＭＳ）メッセージであり、被呼者がＳＩＰベースのＩＭＳメッセージを現在受信することができないことが決定されたならば、
発呼者から被呼者へのＳＩＰベースのＩＭＳメッセージを被呼者により現在受信されることのできる非ＩＭＳメッセージへ変換して、その非ＩＭＳメッセージを被呼者へ転送し、
発呼者から被呼者へのメッセージが非ＩＭＳメッセージであり、被呼者がＳＩＰベースのＩＭＳメッセージを受信することができることが決定されたならば、
発呼者から被呼者への非ＩＭＳメッセージをＳＩＰベースのＩＭＳメッセージへ変換して、そのＳＩＰベースのＩＭＳメッセージを被呼者へ転送するステップを含んでいるメッセージの変換方法。
【請求項２】
さらに、被呼者から戻された応答メッセージを発呼者により受信されることのできるメッセージへ変換し、その変換されたメッセージを発呼者へ転送するステップを含んでいる請求項１記載の方法。
【請求項３】
前記発呼者から被呼者へのＳＩＰベースのＩＭＳメッセージを非ＩＭＳメッセージへ変換するステップは、
ＳＩＰメッセージから変換されている非ＩＭＳメッセージで使用するために、ＳＩＰメッセージ中の発呼者ＩＤと被呼者ＩＤを獲得し、これを被呼者が加入するネットワークタイプに対応するフォーマットのＩＤへ変換し、
非ＩＭＳメッセージのメッセージ本体内に全体として発呼者からのＳＩＰメッセージをカプセル化し、または発呼者からのＳＩＰメッセージをＳＩＰメッセージヘッダとＳＩＰメッセージ本体に分割し、ＳＩＰメッセージヘッダとＳＩＰメッセージ本体を非ＩＭＳメッセージヘッダと非ＩＭＳメッセージ本体へそれぞれ変換することにより非ＩＭＳメッセージを獲得するステップを含んでいる請求項１記載の方法。
【請求項４】
発呼者からのＳＩＰメッセージの長さが非ＩＭＳメッセージで特定される最大の長さよりも大きいならば、非ＩＭＳメッセージに対して特定された長さにしたがってＳＩＰメッセージを分割し多数の非ＩＭＳメッセージへ変換し、最後のメッセージを除く全ての多数の非ＩＭＳメッセージは転送未完了フラグまたは対応する通し番号でマークされ最後のメッセージは転送完了フラグでマークされる請求項３記載の方法。
【請求項５】
さらに、フラグにしたがって、多数の非ＩＭＳメッセージを１つの非ＩＭＳメッセージへ結合する処理を含んでいる請求項４記載の方法。
【請求項６】
発呼者から送信された非ＩＭＳメッセージをＳＩＰベースのＩＭＳメッセージへ変換する前記ステップは、
非ＩＭＳメッセージ中の発呼者ＩＤと被呼者ＩＤを獲得し、非ＩＭＳメッセージから変換されたＳＩＰメッセージで使用するために、それをＳＩＰメッセージシステムにより識別されることのできるＳＩＰ  ＵＲＩフォーマットのメッセージに変換し、
ＳＩＰメッセージのメッセージ本体内に全体として発呼者から送信された非ＩＭＳメッセージをカプセル化し、
発呼者からの非ＩＭＳメッセージを非ＩＭＳメッセージヘッダと非ＩＭＳメッセージ本体とに分割し、非ＩＭＳメッセージヘッダと非ＩＭＳメッセージ本体をＳＩＰメッセージヘッダとＳＩＰメッセージ本体へそれぞれ変換することによりＳＩＰメッセージを獲得するステップを含んでいる請求項１または２記載の方法。
【請求項７】
発呼者から送信される非ＩＭＳメッセージの長さがＳＩＰメッセージに対して特定される最大の長さよりも大きいならば、ＳＩＰメッセージに対して特定された長さにしたがって非ＩＭＳメッセージを分割して多数のＳＩＰメッセージへ変換し、最後のメッセージを除く全ての多数のＳＩＰメッセージは転送未完了フラグまたは対応する通し番号でマークされ、最後のメッセージは転送完了フラグでマークされる請求項６記載の方法。
【請求項８】
さらに、フラグにしたがって、多数のＳＩＰメッセージを１つのＳＩＰメッセージへ結合する処理を含んでいる請求項７記載の方法。
【請求項９】
ＳＩＰベースのＩＭＳと非ＩＭＳメッセージ間の変換は別々のアプリケーションサーバまたはＩＰ−ＳＭ−ＧＷまたはＳＭ−ＳＣで構成された機能モジュールにより行われる請求項１乃至８のいずれか１項記載の方法。
【請求項１０】
さらに、被呼者により戻された応答メッセージとしての転送報告メッセージを発呼者により受信されることのできるメッセージへ変換し、
発呼者ＩＤと被呼者ＩＤを獲得し、発呼者が加入するネットワークタイプに対応するフォーマットのＩＤへ変換するステップを含んでいる請求項９記載の方法。
【請求項１１】
転送報告メッセージを発呼者により受信されることのできるメッセージへ変換するステップは、
転送報告メッセージがＳＩＰメッセージであるならば、パラメータが移動体アプリケーションパート（ＭＡＰ）メッセージパラメータを参照して規定されるＳＩＰ応答メッセージを規定し、被呼者により戻された転送報告メッセージに関連されるデータを獲得し、それをＭＡＰメッセージパラメータへ変換し、ＳＩＰ応答メッセージを対応する転送報告情報を含むＭＡＰ転送報告メッセージへ変換し、
転送報告メッセージがＭＡＰメッセージであるならば、被呼者から戻されたＭＡＰ転送報告データを獲得し、それをＳＩＰ応答メッセージのパラメータへ変換し、ＭＡＰ応答メッセージを対応する転送報告情報を有するＳＩＰ応答メッセージへ変換するステップを含んでいる請求項１０記載の方法。
【請求項１２】
転送報告メッセージを発呼者により受信されることのできるメッセージへ変換する処理は、
転送報告メッセージがＳＩＰメッセージであるならば、ＳＩＰ転送報告メッセージに対するＩＤを設定して転送報告メッセージとしてＩＤを有するＳＩＰ転送報告メッセージを使用し、ＩＤを有するＳＩＰ転送報告メッセージのメッセージ本体にＭＡＰ転送報告パラメータ関連情報を含ませ、ＩＤを有するＳＩＰ転送報告メッセージの内容を獲得しそれを対応するパラメータを有するＭＡＰ転送報告メッセージに変換し、
転送報告メッセージがＭＡＰメッセージであるならば、被呼者により戻されるＭＡＰ転送報告データを獲得し、それをＩＤを有するＳＩＰ転送報告メッセージの内容へ変換するステップを含んでいる請求項１０記載の方法。
【請求項１３】
発呼側のネットワーク中のメッセージ送信／受信エンティティに接続され、発呼側のネットワークからメッセージを受信し、そのメッセージが被呼者により現在受信されることができるか否かを決定することによりメッセージフォーマット変換を行うか否かを決定し、変換を行うことが決定されたならば変換を行うためにメッセージをアプリケーションサーバへ転送するように構成されているメッセージ受信及び決定装置と、
被呼側のネットワーク中のメッセージ送信／受信エンティティに接続され、ＩＭＳと非ＩＭＳメッセージとの間でメッセージフォーマットの変換を行い、被呼側のネットワークのメッセージ送信／受信エンティティを介して被呼者へ変換されたメッセージを転送し、被呼者から戻された転送報告メッセージを受信して変換し、変換された転送報告メッセージを発呼側のネットワークのメッセージ受信及び決定装置およびメッセージ送信／受信エンティティを介して発呼者へ転送するように構成されているアプリケーションサーバとを具備しているメッセージ変換用システム。
【請求項１４】
前記アプリケーションサーバは、
メッセージ受信及び決定装置およびメッセージ送信／転送報告受信モジュールに接続され、ＩＭＳメッセージと非ＩＭＳメッセージとの間でメッセージフォーマット変換を行うように構成されているメッセージフォーマット変換モジュールと、
被呼側のネットワークのメッセージ送信／受信エンティティに接続され、変換されたメッセージを被呼者へ転送する被呼側のネットワークのメッセージ送信／受信エンティティへ変換されたメッセージを送信し、被呼者から戻された転送報告メッセージを受信してメッセージフォーマット変換モジュールへ転送するように構成されているメッセージ送信／転送報告受信モジュールとを具備し、
メッセージフォーマット変換モジュールはさらに、転送報告メッセージを変換し、発呼側のネットワークのメッセージ受信及び決定装置とメッセージ送信／受信エンティティを介して変換された転送報告メッセージを発呼者へ転送するように構成されている請求項１４記載のシステム。
【請求項１５】
アプリケーションサーバは別々のネットワークエンティティまたはＩＰメッセージゲートウェイ（ＩＰ−ＳＭ−ＧＷ）またはショートメッセージセンタ（ＳＭ−ＳＣ）で構成された機能モジュールである請求項１３または１４記載のシステム。
【請求項１６】
請求項１乃至１２のいずれか１項記載の方法のメッセージフォーマット変換のステップを行い、請求項１３乃至１５のいずれか１項記載のアプリケーションサーバの１以上の部分および／または機能を実現するように構成されている手段を具備しているメッセージ変換装置。
【手続補正２】
【補正対象書類名】明細書
【補正対象項目名】００１７
【補正方法】削除
【補正の内容】
【国際調査報告】
2009500973.tif 000011
2009500973.tif 000012
2009500973.tif 000013
2009500973.tif 000014